(57)【要約】【課題】デジタル放送システムにおいてかげ地域の網と非かげ地域の網との区分が可能な放送サービス提供装置及び方法、並びにそのシステムを提供する。【解決手段】本発明のシステムは、単一周波数網を介して放送サービスを提供するためのデジタル放送システムであって、放送サービスデータを暗号化し、該暗号化された放送サービスデータの解読のための所定の暗号化キーを個人キーと共用キーとに分けて生成し、上記個人キー及び／または上記共用キーを送信する少なくとも一つの放送送信機を設定し、上記暗号化された放送サービスデータとともに上記暗号化キーを提供する放送提供サーバーと、該放送提供サーバーから受信した上記暗号化された放送サービスデータと上記個人キーを上記単一周波数網を介して送信する上記放送送信機とを含み、該放送送信機の少なくとも一つが上記共用キーをさらに送信することを特徴とする。【選択図】図２
2006314094.tif 000002
【特許請求の範囲】
【請求項１】
所定の周波数により放送サービスを提供するためのデジタル放送システムであって、
放送サービスデータを暗号化し、該暗号化された放送サービスデータの解読のための所定の暗号化キーを個人キーと共用キーとに分けて生成し、前記個人キー及び／または前記共用キーを送信する少なくとも一つの放送送信機を設定し、前記暗号化された放送サービスデータとともに前記暗号化キーを提供する放送提供サーバーと、
前記放送提供サーバーから受信した前記暗号化された放送サービスデータと前記個人キーを、前記所定の周波数を用いて送信する前記放送送信機とを含み、
前記放送送信機の少なくとも一つが前記共用キーをさらに送信することを特徴とするデジタル放送システム。
【請求項２】
前記共用キーが、前記放送サービスデータが伝送されるフレームのＮＵＬＬ区間の間伝送される送信機識別指示子（ＴＩＩ）に割り当てられることを特徴とする請求項１に記載のデジタル放送システム。
【請求項３】
前記個人キーが、前記放送サービスデータが伝送されるフレームの高速情報チャンネルを通じて伝送されるＥＭＭまたはＥＣＭ情報に割り当てられることを特徴とする請求項１に記載のデジタル放送システム。
【請求項４】
サービス料金が課金されるサービス地域において、前記放送送信機が、前記個人キーのみを送信することを特徴とする請求項１に記載のデジタル放送システム。
【請求項５】
サービス料金が課金されないサービス地域において、前記放送送信機が、前記個人キーと前記共用キーを両方とも送信することを特徴とする請求項１に記載のデジタル放送システム。
【請求項６】
前記放送サーバーが、前記共用キーの送出要否を決めるための制御情報を前記放送送信機へ伝送する放送制御部を含むことを特徴とする請求項１に記載のデジタル放送システム。
【請求項７】
所定の周波数により放送サービスを提供するためのデジタル放送システムであって、
放送サービスデータを暗号化し、該暗号化された放送サービスデータを提供する放送提供サーバーと、
前記放送提供サーバーからの前記暗号化された放送サービスデータを受信し、前記所定の周波数を用いて送信するとともに、前記暗号化された放送サービスデータの解読のための所定の個人キーを前記放送サービスデータとともに送信する放送送信機と、
前記放送送信機の少なくとも一つが暗号化キーのうちの共用キーをさらに送信することを特徴とするデジタル放送システム。
【請求項８】
デジタル放送システムにおいて所定の周波数により放送サービスを提供するための方法であって、
放送局から受信した放送サービスデータを暗号化し、該暗号化された放送サービスデータの解読のための所定の暗号化キーを個人キーと共用キーとに分けて生成し、前記個人キー及び／または前記共用キーを送信する放送送信機へ前記暗号化された放送サービスデータと前記暗号化キーを伝送する過程と、
前記放送送信機が前記暗号化された放送サービスデータと前記個人キーを前記所定の周波数を用いて送信する過程とを含み、
前記放送送信機の少なくとも一つが前記共用キーをさらに送信する過程を含むことを特徴とする放送サービス提供方法。
【請求項９】
前記共用キーが、前記放送サービスデータが伝送されるフレームのＮＵＬＬ区間の間伝送される送信機識別指示子（ＴＩＩ）に割り当てられることを特徴とする請求項８に記載の放送サービス提供方法。
【請求項１０】
前記個人キーが、前記放送サービスデータが伝送されるフレームの高速情報チャンネルを通じて伝送されるＥＭＭまたはＥＣＭ情報に割り当てられることを特徴とする請求項８に記載の放送サービス提供方法。
【請求項１１】
サービス料金が課金されるサービス地域において、前記放送送信機が、前記個人キーのみを送信することを特徴とする請求項８に記載の放送サービス提供方法。
【請求項１２】
サービス料金が課金されないサービス地域において、前記放送送信機が、前記個人キーと前記共用キーを両方とも送信することを特徴とする請求項８に記載の放送サービス提供方法。
【請求項１３】
所定の周波数により暗号化された放送サービスデータを送出する少なくとも一つの放送送信機を具備するデジタル放送システムにおいて前記放送送信機から前記暗号化された放送サービスデータを受信するための受信装置であって、
前記放送サービスデータのフレームから前記放送サービスデータの解読のための共用キー及び／または前記個人キーを受信する受信部と、
前記共用キー及び／または前記個人キーを受信し、該共用キー及び／または該個人キーを用いて前記放送サービスデータの解読のための少なくとも一つの制御語（ＣＷ）を生成する解読キー生成部と、
前記少なくとも一つの制御語（ＣＷ）を生成するために前記解読キー生成部を制御し、所定の条件によって生成された少なくとも一つの前記制御語（ＣＷ）のいずれかを用いて前記放送サービスデータを解読する制御手段と、を含むことを特徴とする受信装置。
【請求項１４】
前記共用キーが、前記放送サービスデータが伝送されるフレームのＮＵＬＬ区間の間伝送される送信機識別指示子（ＴＩＩ）に割り当てられることを特徴とする請求項１３に記載の受信装置。
【請求項１５】
前記個人キーが、前記放送サービスデータが伝送されるフレームの高速情報チャンネルを通じて伝送されるＥＭＭまたはＥＣＭ情報に割り当てられることを特徴とする請求項１３に記載の受信装置。
【請求項１６】
前記所定の条件は、加入者が有料加入者であるか否かを示し、
加入者が有料加入者である場合、前記制御手段が、前記個人キーから生成された制御語を選択することを特徴とする請求項１３に記載の受信装置。
【請求項１７】
サービス料金が課金されないサービス地域において、前記制御手段が、前記共用キーから生成された制御語を選択することを特徴とする請求項１３に記載の受信装置。
【請求項１８】
所定の周波数により暗号化された放送サービスデータを送出する少なくとも一つの放送送信機を具備するデジタル放送システムにおいて前記放送送信機から前記暗号化された放送サービスデータを受信するための受信方法であって、
前記放送サービスデータのフレームから前記放送サービスデータの解読のための共用キー及び／または個人キーを受信する過程と、
前記共用キー及び／または前記個人キーを受信し、該共用キー及び／または該個人キーを用いて前記放送サービスデータの解読のための少なくとも一つの制御語（ＣＷ）を生成する過程と、
所定の条件によって生成された少なくとも一つの前記制御語（ＣＷ）のいずれかを用いて前記放送サービスデータを解読する過程とを含むことを特徴とする受信方法。
【請求項１９】
前記共用キーが、前記放送サービスデータが伝送されるフレームのＮＵＬＬ区間の間伝送される送信機識別指示子（ＴＩＩ）に割り当てられることを特徴とする請求項１８に記載の受信方法。
【請求項２０】
前記個人キーが、前記放送サービスデータが伝送されるフレームの高速情報チャンネルを通じて伝送されるＥＭＭまたはＥＣＭ情報に割り当てられることを特徴とする請求項１８に記載の受信方法。
【請求項２１】
前記所定の条件は、加入者が有料加入者であるか否かを示し、
加入者が有料加入者である場合、前記制御語が、前記個人キーから生成されるか、または前記共用キー及び／または前記個人キーから生成された前記少なくとも一つの制御語から選択されることを特徴とする請求項１８に記載の受信方法。
【請求項２２】
サービス料金が課金されないサービス地域である場合、前記制御語が、前記共用キーから生成されるか、または前記共用キー及び／または前記個人キーから生成された前記少なくとも一つの制御語から選択されることを特徴とする請求項１８に記載の受信方法。
【請求項２３】
前記所定の条件によって、前記共用キーのみを用いる専用モードが設定されているか否かを確認する過程と、
前記専用モードが設定されている場合、前記共用キーを用いて前記暗号化された放送サービスデータを解読する過程と、
前記専用モードが設定されていない場合、前記個人キーを用いて前記暗号化された放送サービスデータを解読する過程と、を含むことを特徴とする請求項１８に記載の受信方法。
【発明の詳細な説明】
【技術分野】
【０００１】
本発明は、デジタル放送サービスを提供するための装置及び方法、並びにそのシステムに係り、特に単一周波数網（Ｓｉｎｇｌｅ  Ｆｒｅｑｕｅｎｃｙ  Ｎｅｔｗｏｒｋ：ＳＦＮ）を有するデジタルマルチメディア放送（Ｄｉｇｉｔａｌ  Ｍｕｌｔｉｍｅｄｉａ  Ｂｒｏａｄｃａｓｔｉｎｇ：ＤＭＢ）システムにおける放送サービスを提供するための装置及び方法、並びにそのシステムに関する。
【背景技術】
【０００２】
一般に、放送サービスとは、端末を持っている全てのユーザに対する提供を目的として提供されるサービスである。このような放送サービスは、音声のみを提供するラジオ放送のようなオーディオ放送サービスと、音声とビデオサービスを提供するテレビのような主にビデオサービスのための放送サービスと、音声、ビデオ及びデータサービスを包括するマルチメディア放送サービスとに分けられる。これら放送サービスは、アナログ方式を基本としており、技術の飛躍的な発展に伴い、デジタル放送化が進めれてきている。また放送サービスは、従来における放送局で運営していた送信塔を介しての提供方式から脱皮して、有線にて高画質のデータを高速で一緒に提供する有線ネットワークのマルチメディアサービスと、人工衛星を利用してマルチメディアサービスを提供する方式、及び有線と人工衛星を両方とも利用する方式などの各種の方式へと発展してきている。
【０００３】
近来、このような方式の一つとして商用サービスに向けて拍車をかけている方式が、ＤＭＢ方式のサービスである。この種のＤＭＢ方式は、デジタルオーディオ放送（Ｄｉｇｉｔａｌ  Ａｕｄｉｏ  Ｂｒｏａｄｃａｓｔｉｎｇ：ＤＡＢ）を基盤として、ヨーロッパで施行されているＤＡＢの技術標準であるＥｕｒｅｋａ−１４７（Ｅｕｒｏｐｅａｎ  Ｒｅｓｅｒｃｈ  Ｃｏｏｒｄｉｎａｔｉｏｎ  Ａｇｅｎｃｙ  ｐｒｏｊｅｃｔ−１４７）に根幹をおいている。したがって、以降のＤＭＢ方式のサービスとは、ＤＡＢサービスを含むマルチメディア放送サービスを総称するものとみなす。また、ＤＭＢ方式のサービスは、人工衛星を利用してサービスを提供する衛星ＤＭＢ方式と、地上波ＤＭＢ方式とに大別される。人工衛星を利用する衛星ＤＭＢ方式では、データをコード分割多重（Ｃｏｄｅ  Ｄｉｖｉｓｉｏｎ  Ｍｕｌｔｉｐｌｅｘｉｎｇ：ＣＤＭ）方式で多重化し、チャンネルを共有して伝送する方式を用いている。これに対し、地上波ＤＭＢ方式では、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）方式で多重化し、チャンネルを共有して伝送する方式を用いている。
【０００４】
上記多重化方式のうちＯＦＤＭ方式は、直列に入力されるシンボル列を並列変換した後、これらをそれぞれ相互直交性をもつ多数の副搬送波により変調し伝送する方式である。上記ＯＦＤＭシステムは、単一搬送波伝送方式（ｓｉｎｇｌｅ  ｃａｒｒｉｅｒ  ｍｏｄｕｌａｔｉｏｎ  ｓｃｈｅｍｅ）に比べて周波数選択性多経路フェージングチャンネル（ｆｒｅｑｕｅｎｃｙ  ｓｅｌｅｃｔｉｖｅ  ｍｕｌｔｉｐａｔｈ  ｆａｄｉｎｇ  ｃｈａｎｎｌｅ）に強い特性を示す。これは、受信機側からみて、多数の副搬送波が占める周波数帯域においては周波数選択性チャンネルになるが、それぞれの副搬送波帯域においては周波数非選択性チャンネルになるため、簡単なチャンネル等化過程を行うことで容易にチャンネル補償が可能になるからである。特に、各ＯＦＤＭシンボルの前にはＯＦＤＭシンボルの後半部をコピーして伝送する循環プレフィックスシンボル（ｃｙｃｌｉｃ  ｐｒｅｆｉｘ）を付け加えて伝送することにより前シンボルからの干渉成分（Ｉｎｔｅｒ-Ｓｙｍｂｏｌ  Ｉｎｔｅｒｆｅｒｅｎｃｅ：ＩＳＩ）を除去することができる。それだけでなく、複数の放送送信機がＯＦＤＭ方式を用いてＳＦＮを構成し得るため、放送サービスにより適合しているといえる。
【０００５】
このような長所から韓国など一部の国では、地上波ＤＭＢ放送サービスを提供するための各種法案が確立され、そのうち地上波ＤＭＢ放送については無料放送サービスを提供することで公共の利益を増大させるための方案を設けた。すなわち、何人でも放送が視聴できる装備さえ持っていれば、良質のプログラムが視聴できるようにすることである。
【０００６】
地上波ＤＭＢの場合、地上に設置される放送送信機を介して放送信号が送出される。このように地上に設置される放送送信機は、上述した如く公共の利益を目的として設置するため、国が無料で設置しなければならないという問題がある。このような問題のため放送送信機を一般の有料の通信事業者のように、複数箇所に必要とする分を設置することができないという問題がある。したがって、地上に設置される放送送信機が不足し、実際に放送サービスが受信できない場合が生じ得る。例えば、放送送信機から遠く離れていて信号が弱いとき、正常な放送サービスの提供を受けられなくなる。また、特定ビルまたは地形地物などによって端末を持っているユーザがかげ地域に位置しているとき、放送サービスの提供を受けられなくなるという問題がある。
【０００７】
一方、地上波ＤＭＢとは異なる方式で放送サービスを提供する放送サービス業者は、多様な放送サービスコンテンツを具備し、このようなコンテンツをユーザのサービス要求条件及び資格に応じて選択的に提供する、いわゆる限定受信システム（Ｃｏｎｄｉｔｉｏｎａｌ  Ａｃｃｅｓｓ  Ｓｙｓｔｅｍ：ＣＡＳ）を採用している実情にある。すなわち、限定受信システムは、デジタル放送システムの送信機から多数の端末へデータを伝送するに際し、受信資格のない未登録端末に対してはその受信を制限するように制御するシステムである。
【０００８】
したがって、放送事業者が上記限定受信システムを用いて各端末のサービスの受信資格を制御することにより、例えば、差等課金システムを実現することができるようになる。ちなみに、上記地上波ＤＭＢシステムの長所は、従来の地上波ＴＶ放送のように無料でより多くの視聴者に情報が伝えられるという点であるが、かげ地域などのように追加的な中継器の設置が求められるときは、別の限定受信システムを取り入れることにより課金有無を決めようとする論議がある。
【０００９】
上記のような限定受信システムを実現するためには、非かげ地域に配設された放送送信機を中心に運用される中継網と、かげ地域などに配設された放送送信機を中心に運用される他の中継網との区分が要求される。また、上述したＳＦＮの長所を持ちながら、非かげ地域に位置しているユーザへの不要な課金や、課金方式の中継網の拡充による非かげ地域における損失をなくす必要がある。すなわち、非かげ地域では信号損失と別途の課金なしでも放送サービスの提供が可能であり、かげ地域でだけ課金可能な方式の放送システムの導入が切実に求められている。
【発明の開示】
【発明が解決しようとする課題】
【００１０】
そこで、本発明の目的は、デジタル放送システムにおいてかげ地域の網と非かげ地域の網との区分が可能な放送サービス提供装置及び方法、並びにそのシステムを提供することにある。
【００１１】
本発明の他の目的は、デジタル放送システムにおいてかげ地域の網と非かげ地域の網とに区分されるとき、かげ地域に対して限定受信方式を用いることができる放送サービス提供装置及び方法、並びにそのシステムを提供することにある。
【００１２】
本発明の更に他の目的は、デジタル放送システムにおいてかげ地域の網と非かげ地域の網とを区分してサービスを提供するとき、端末からサービス網を選択することができる装置及び方法、並びにそのシステムを提供することにある。
【課題を解決するための手段】
【００１３】
上記目的を達成するための本発明のシステムは、単一周波数網を介して放送サービスを提供するためのデジタル放送システムであって、放送サービスデータを暗号化し、該暗号化された放送サービスデータの解読のための所定の暗号化キーを個人キーと共用キーとに分けて生成し、上記個人キー及び／または上記共用キーを送信する少なくとも一つの放送送信機を設定し、上記暗号化された放送サービスデータとともに上記暗号化キーを提供する放送提供サーバーと、該放送提供サーバーから受信した上記暗号化された放送サービスデータと上記個人キーを、上記単一周波数網を介して送信する上記放送送信機とを含み、該放送送信機の少なくとも一つが上記共用キーをさらに送信することを特徴とする。
【００１４】
上記目的を達成するための本発明の方法は、デジタル放送システムにおいて単一周波数網を介して放送サービスを提供するための方法であって、放送局から受信した放送サービスデータを暗号化し、該暗号化された放送サービスデータの解読のための所定の暗号化キーを個人キーと共用キーとに分けて生成し、上記個人キー及び／または上記共用キーを送信する放送送信機へ上記暗号化された放送サービスデータと上記暗号化キーを伝送する過程と、上記放送送信機が上記暗号化された放送サービスデータと上記個人キーを上記単一周波数網を介して送信する過程とを含み、上記放送送信機の少なくとも一つが上記共用キーをさらに送信する過程を含むことを特徴とする。
【００１５】
上記目的を達成するための本発明の受信装置は、単一周波数網を介して暗号化された放送サービスデータを送出する少なくとも一つの放送送信機を具備するデジタル放送システムにおいて上記放送送信機から上記暗号化された放送サービスデータを受信するための受信装置であって、上記放送サービスデータのフレームから上記放送サービスデータの解読のための共用キー及び／または個人キーを受信する受信部と、上記共用キー及び／または上記個人キーを受信し上記放送サービスデータの解読のための少なくとも一つの制御語（ＣＷ）を生成する解読キー生成部と、所定の条件によって生成された少なくとも一つの上記制御語（ＣＷ）のいずれかを選択し上記放送サービスデータを解読する制御手段とを含むことを特徴とする。
【００１６】
上記目的を達成するための本発明の受信方法は、単一周波数網を介して暗号化された放送サービスデータを送出する少なくとも一つの放送送信機を具備するデジタル放送システムにおいて上記放送送信機から上記暗号化された放送サービスデータを受信するための受信方法であって、上記放送サービスデータのフレームから上記放送サービスデータの解読のための共用キー及び／または個人キーを受信する過程と、上記共用キー及び／または上記個人キーを受信し上記放送サービスデータの解読のための少なくとも一つの制御語（ＣＷ）を生成する過程と、所定の条件によって生成された少なくとも一つの上記制御語（ＣＷ）のいずれかを選択し上記放送サービスデータを解読する過程とを含むことを特徴とする。
【発明の効果】
【００１７】
上述したように、本発明によれば、単一周波数網を有するＤＭＢ放送システムにおいて、かげ地域と非かげ地域とに区分して選択的な課金をすることができ、放送サービスデータをより安定して伝送することができるため、共益の増大に貢献することができる。また、事業者は、かげ地域の放送送信機から放送サービスを提供されたいユーザに課金が可能になり、この結果、事業の効率性を増大させることができ、選択的な課金放送を行うことができることで、各種のサービスを開発することができるという利点がある。
【発明を実施するための最良の形態】
【００１８】
以下、本発明の好適な実施の形態を添付した図面を参照して詳しく説明する。また、以降の説明では、具体的な特定事項を示しているが、これは、本発明のより全般的な理解を助けるべく提供しただけであって、このような特定事項なしでも本発明が実施できることは、当該技術分野における通常の知識を有する者には自明である。そして、本発明を説明するに際し、関連公知機能あるいは構成についての具体的な説明が、本発明の要旨を不要に曖昧にするおそれがあると判断される場合は、その詳細な説明を省略する。
【００１９】
後述する本発明の実施の形態におけるデジタル放送システムとしては、地上波ＤＭＢシステムを挙げて説明する。また、上記地上波ＤＭＢシステムは、ＤＡＢシステムを含み得ることに留意しなければならない。
【００２０】
図１は、本発明の一実施の形態による地上波ＤＭＢシステムの概念的な構成図である。
【００２１】
放送網は放送局１００から放送サービスデータを送信する。上記放送局１００に替えて、本発明によってＤＭＢ放送サービスデータを放送送信機へ提供できる放送サーバーを用いてもよい。すなわち、所定の事業者が放送サーバーを介してＤＭＢ放送サービスを提供することもでき、放送局１００の内部に所定の放送サーバーを具備し、ＤＭＢ放送サービスを提供することもできる。以下、これらをいずれも放送局と称する。放送局からの放送サービスデータは、一次的に暗号化された信号である。上記放送局１００からの暗号化された放送サービスデータは、多数の放送送信機１０５ａ、…、１０５ｂを介して端末１１５へ送信される。上記放送局１００から暗号化された放送サービスデータを多数の放送送信機１０５ａ、…、１０５ｂへ送信する方式としては、後述する３通りの方式の一つを採択すればよい。
【００２２】
その第一の方法は人工衛星を利用する方法である。すなわち、放送局１００から人工衛星１１０へ暗号化された放送サービスデータを送り出し、人工衛星１１０は、それを時分割多重方式を用いて各放送送信機１０５ａ、１０５ｂへ伝送することができる。これにより各放送送信機１０５ａ、１０５ｂは、人工衛星１１０から送出する放送サービスデータを受信し、自分に与えられた方式にて上記放送サービスデータを解読するための暗号化キーを送信する方式である。このとき、放送サービスデータとともに伝送される暗号化キーは、各放送送信機毎に自分に割り当てられた方式に従って伝送する。上記暗号化キーは、後述する図面を参照してより詳しく説明することにする。
【００２３】
第二の方法は、放送局１００と各放送送信機１０５ａ、１０５ｂとを連結する有線ケーブルまたは伝送網を介して放送サービスデータを送信する方法である。上記図１では、放送局１００と各放送送信機１０５ａ、１０５ｂとを連結する有線ケーブルまたは伝送網に対してＬ１とＬ２の図面符号を付して区分した。したがって、各放送送信機１０５ａ、１０５ｂは、このような有線ケーブルまたは伝送網を介して送信された放送サービスデータを受信し、放送サービスデータとともに自分に与えられた暗号化キー送信方式にて暗号化キーを送信することができる。
【００２４】
最後に、第三の方法は、特定の放送送信機に対しては人工衛星１１０を利用して伝送し、残りの放送送信機に対しては有線ケーブルまたは伝送網を介して放送サービスデータを伝送する方法である。すなわち、放送局１００は、特定の放送送信機に対しては送信する暗号化された放送サービスデータを人工衛星１１０を利用して伝送し、残りの放送送信機に対しては有線ケーブルまたは伝送網を介して放送サービスデータを送信する。そうすると、当該放送送信機は、特定の同期信号に同期され、すべての放送送信機が同時に放送サービスデータを暗号化キーとともに伝送する。
【００２５】
このようにして放送サービスデータと暗号化キーを送信すれば、端末１１５は、放送サービスデータと暗号化キーを受信し放送サービスの提供を受けることができる。上記端末１１５は、携帯電話、ＰＤＡ、ノート型パソコンなどの放送受信機が具備されたすべての端末を含み得る。このような端末における放送サービスを提供されるためのブロック構成及び動作については、、後述する図６及び図７を参照してより詳しく説明することにする。
【００２６】
以下、上述したような構成を有する放送網において、本発明によって放送サービスを提供する方式について説明することにする。
【００２７】
まず、非かげ地域に配設された放送送信機を第１の放送送信機１０５ａと仮定し、かげ地域に配設された放送送信機を第２の放送送信機１０５ｂと仮定する。したがって、上記第１の放送送信機１０５ａは、広範な非かげ地域に放送サービスを提供する。そして、上記第２の放送送信機１０５ｂは、かげ地域に放送サービスを提供する。また、本発明の課題で考察したように、上記第１の放送送信機１０５ａと第２の放送送信機１０５ｂは、単一周波数網（ＳＦＮ）を構成し、同一の放送サービスデータを送出する。このように第１の放送送信機１０５ａと第２の放送送信機１０５ｂとが同一の放送サービスデータを送出するためには、放送局１００から同一の形式にて放送サービスデータを送信することが望ましい。
【００２８】
そして、第１の放送送信機１０５ａと第２の放送送信機１０５ｂとが同一の放送サービスデータを送信するため、端末は、非かげ地域とかげ地域とが重なり合う特定の領域でも放送サービスデータを確実に受信することができる。なぜならば、放送サービスデータの伝送方式がＯＦＤＭ方式を採択しているため、互いに異なる放送送信機から送信された信号でも多経路を通じて受信された信号であるような解釈が可能となるためである。
【００２９】
非かげ地域に配設された第１の放送送信機１０５ａは、本発明によって上記暗号化キーとして共用キーを生成し送出する。また、上記第１の放送送信機１０５ａは、本発明によって上記暗号化キーとして共用キーと個人キーともに生成し送出することができる。これは、例えば、非かげ地域でも個人キーを用いて放送サービスが解読できるようにするためである。
【００３０】
上記共用キーは、すべてのユーザが受信し暗号化された放送サービスを解読することができるキー値になる。これに対し、かげ地域に配設された第２の放送送信機１０５ｂは、共用キーを送信しない。すなわち、上記放送サービスデータに含まれて伝送される上記暗号化キーとして個人キーのみを用いて放送サービスデータを伝送する。したがって、かげ地域に位置している端末１１５は共用キーを受信することができないため、選択的に限定受信システムが適用されたようになり、放送サービスデータを受信しても暗号化された放送サービスを解読することができなくなる。したがって、ユーザのサービス要求条件及び資格に応じて当該ユーザは上記個人キーを受信するようにし、選択的に放送サービスの提供を受けることができる。
【００３１】
一方、上記第１の放送送信機１０５ａは、非かげ地域がカバーできる特定事業者のギャップフィラー（gap filler）中継器を利用するか、または国で無料提供する放送送信塔を選択的に利用することができる。そして、上記第２の放送送信機１０５ｂは、かげ地域がカバーできるギャップフィラー中継器を利用することが好ましい。
【００３２】
図２は、本発明の一実施の形態による放送局または放送サービス事業者の放送サービス提供装置と放送送信機の構成を例示した図である。
【００３３】
まず、放送局１００に配設されている、または放送サービス事業者が提供する本発明の放送サービス提供装置の構成について述べることにする。端末へ伝送する放送サービスデータ２００は、エンクリプター２０１に入力され暗号化が行われる。ここで、暗号化方式としては、スクランブル方式を用いればよく、その他の暗号化方式を用いてもよい。暗号化キー生成部２０３は、放送サービスデータ２００を暗号化するための暗号化キーを「制御語（Ｃｏｎｔｒｏｌ  Ｗｏｒｄ：以下、「ＣＷ」と称す）」にて生成しエンクリプター２０１へ提供する。一方、上記暗号化キー生成部２０３は、かげ地域においてサービスを受けようとする端末に割り当てる個人キー値と、非かげ地域においてサービスを受けようとする端末に割り当てる共用キー値を生成し送信部２０５へ提供する。このとき、上記個人キー値は、周知の資格チェックメッセージ（Ｅｎｔｉｔｌｅｍｅｎｔ  Ｃｈｅｃｋｉｎｇ  Ｍｅｓｓａｇｅ：以下、「ＥＣＭ」と称す）と、資格管理メッセージ（Ｅｎｔｉｔｌｅｍｅｎｔ  Ｍａｎａｇｅｍｅｎｔ  Ｍｅｓｓａｇｅ：以下「ＥＭＮ」と称す）値を用いることができる。また、上記共用キー値は、本発明によって伝送者識別情報（Ｔｒａｎｓｍｉｔｔｅｒ  Ｉｄｅｎｔｉｆｉｃａｔｉｏｎ  Ｉｎｆｏｒｍａｔｉｏｎ：以下「ＴＩＩ」と称す）値を利用することができる。このようにして暗号化された放送サービスデータを解読するための個人キー値と共用キー値の伝送方法については、後述する図３を参照してより詳しく述べることにする。
【００３４】
図２において放送制御部２０７は、暗号化キーの更新周期に係る制御信号を生成し、該制御信号を暗号化キー生成部２０３へ提供する。また、放送制御部２０７は、個人キーを送信する放送送信機と共用キーを送信する放送送信機に係る制御信号を生成し、該制御信号を送信部２０５を介して放送送信機へ伝送する。このような放送制御部２０７は、図２には示していないが、運用者インターフェースに接続され、運用者が手動で操作可能に構成してもよい。すなわち、暗号化キーの生成周期値を変更するように制御することもでき、共用キー値を送信する放送送信機を拡張または縮小するように制御することもできる。そうすると、送信部２０５は、エンクリプター２０１からの暗号化された放送サービスデータと、暗号化キー生成部２０３からの上記共用キーまたは個人キーとを含む制御信号を、図１を参照して説明した３通りの方式のいずれかを用いて放送送信機に対して伝送する。以下、放送送信機に対して伝送する制御信号のうち、共用キーの送出要否を決めるための情報を「共用キー制御情報」と称することにする。
【００３５】
次いで、図１及び図２を参照して放送送信機１０５の構成及び動作について述べることにする。上記放送送信機１０５は、放送局１００からの暗号化された放送サービスデータと制御信号とを有線または無線経路を通じて受信する。受信部２１１は、送信機制御部２１７の制御によって受信した信号のうちの暗号化された放送サービスデータは放送信号送出部２１３へ出力し、共用キー値は共用キー送出部２１５へ出力し、共用キー制御情報は送信機制御部２１７へ出力する。そうすると、送信機制御部２１７では、上記共用キー制御情報を用いて、共用キー送出部２１５からの共用キー送出要否を決め、共用キー値を送出するように設定するか、または共用キー値を遮断するように設定することができる。
【００３６】
これによって共用キー送出部２１５が共用キー値を送出または送出しないように構成することができるのである。このような放送送信機１０５のうち、非かげ地域を司る放送送信機では、共用キー送出部２１５から条件なしに共用キー値を送出するように構成することもできる。すなわち、送信機制御部２１７によって共用キー値の送出要否を制御される放送送信機は、かげ地域のものに限るとの制限を設けることができる。このように構成することで非かげ地域に対して共用キー値が送出されることを防止することもできる。また、かげ地域の送信機制御部２１７でも共用キー値を送出できるようにすることで、例えば国家災難事態などの特定の場合、、または事業者が無料で放送したい特定の時間、あるいは事業者の特定の目的に合わせて、かげ地域でも制限的に無料放送が可能になるように構成することができる。
【００３７】
最後に、放送信号送出部２１３は、個人キー値を含んだ放送サービスデータを地上波ＤＭＢ方式に合わせて伝送する。一方、図２の実施の形態では、共用キーと個人キーが放送局または放送サービス事業者を通じて提供されるように構成したが、共用キーと個人キーの少なくとも一方が放送送信機１０５から直接提供されるように構成することも可能であろう。
【００３８】
図３は、地上波ＤＭＢ方式にて放送トラフィックを伝送するためのフレーム規格を示す図である。以下、図３を参照して地上波ＤＭＢ方式にて放送トラフィックを伝送するためのフレーム規格と、本発明によって共用キー値が伝送できる方法について説明することにする。
【００３９】
上記図３に示す放送フレームは、１放送フレームを意味し、例えば、９６ｍｓ単位で１フレームずつ伝送される。上記放送トラフィックは、先頭に同期チャンネルを有し、その領域は二つに分けられる。まず、上記同期チャンネルは、ＴＩＩまたは何らのデータも伝送されないＮＵＬＬ区間３００を有し得る。本発明では、上記ＮＵＬＬ区間３００で伝送されていたＴＩＩ値を新たに定義する。すなわち、従来、ＴＩＩは伝送者（送信機）識別情報としてのみ用いることができた。しかしながら、本発明におけるＴＩＩは、共用キー値を復号するための用途として用いることができる。すなわち、ＴＩＩ値は、ＤＭＢ標準に１２ビットを伝送するように構成されているため、上記ＴＩＩ値を１フレームまたは２以上のフレーム間受信するようにすることで共用キー値として用いることができる。ここで、ＴＩＩのビット数は、可変的に設定することができ、ＴＩＩを所定のビット数の直交セットから構成し、受信性能を高めることも可能であろう。
【００４０】
すなわち、ＴＩＩ値を共用キー値として用いる場合、ＴＩＩ値は周期的に変更される必要がある。このような変更は、上述した図２の放送局１００に具備される放送制御部２０７により制御可能である。もし、共用キー値を伝送するのにＴＩＩ値を用いることが不可能な場合、ＴＩＩの代りにＮＵＬＬ区間で共用キー値を所定のビート数分伝送するように実現することも可能であろう。したがって、上記同期チャンネルを用いて共用キー値を伝送することができる。しかる後、上記同期チャンネルの位相参照シンボル３０２区間で位相参照シンボルが伝送される。
【００４１】
一方、個人キー値は、高速情報チャンネル（Ｆａｓｔ  Ｉｎｆｏｒｍａｔｉｏｎ  Ｃｈａｎｎｅｌ：ＦＩＣ）３０４を用いて伝送されるＥＣＭ、ＥＭＭ値を用いて伝送することができる。もし、ＥＣＭ、ＥＭＭ値を伝送するのに上記高速情報チャンネルの容量が不足している場合は、主サービスチャンネル３０６の最後の副チャンネルである副チャンネル＃６３を用いてＥＣＭ、ＥＭＭ値をさらに伝送するように構成することができる。また、上記主サービスチャンネル３０６は、例えば、４個の共通インターリーブフレーム（Ｃｏｍｍｏｎ  Ｉｎｔｅｒｌｅａｖｅｄ  Ｆｒａｍｅ：以下「ＣＩＲ」と称す）から構成され暗号化された放送トラフィックが伝送される。
【００４２】
上述したように、このようにフレームを構成すれば、共用キー値を伝送する放送送信機は、同期チャンネルの先頭において共用キーを指示するＴＩＩ値、または共用キー値を指示する他の形態の情報を送信し、共用キー値を送信しない放送送信機は、同期チャンネルの先頭において何らのデータも送信しない。したがって、各放送送信機から伝送される以降のデータは、同一のＯＦＤＭシンボルから構成されるため、互いに異なる基地局から送信されたフレームといっても多経路を通じて送信されたものと同じ現象だけが起こり、チャンネルの干渉が存在しなくなり、ＳＦＮを実現することができるようになる。
【００４３】
図４は、本発明の一実施の形態による放送局の放送制御部で行われる制御プロセスを示すフローチャートである。以下、上記図４を参照して本発明の一実施の形態による放送局の放送制御部２０７で行われる動作について述べることにする。
【００４４】
放送制御部２０７は、Ｓ４００ステップにおいて、放送サービスを提供するために、暗号化キー生成要求信号を上記暗号化キー生成部２０３へ出力する。また、放送制御部２０７は、Ｓ４００ステップにおいて、特定の放送送信機では送信部２０５へ共用キー値を送出し、残りの放送送信機では個人キー値を送出させるための制御信号を生成し、該制御信号を上記送信部２０５へ出力する。そして、上記放送制御部２０７は、Ｓ４０２ステップに進み、暗号化タイマーを設定する。このようなタイマーは暗号化キー値を保持すべき時間が設定されたタイマーであり、一般にＣＡＳを適用する場合、個人キーとして用いられるＥＣＭ及びＥＭＭの更新周期になることもある。上記ＥＣＭ及びＥＭＭの更新周期は、一般にＣＩＦカウンターを用いる方法があり、したがって、上記タイマーに替えて、カウンターを用いてもよい。なお、このＣＩＦカウンターの実現方法は、既に周知のものであるため、ここでは詳述しないことにする。また、以下には上記カウンターとタイマー方式を総称してタイマーと称して説明することにする。
【００４５】
上記放送制御部２０７は、暗号化タイマーを設定した後、Ｓ４０４ステップに進み、タイムオーバーが発生したか否かをチェックする。上記Ｓ４０４ステップでのチェックの結果、タイムオーバーが発生した場合、放送制御部２０７内に設けられたメモリー（図示せず）などに保存されている放送送信機に関するキー送信方法に合わせて、Ｓ４００、Ｓ４０２ステップを再度行う。このような動作を行うことで暗号化キーが周期的に更新可能になる。
【００４６】
一方、上記放送制御部２０７は、Ｓ４０４ステップでのチェックの結果、タイムオーバーが発生していない場合、Ｓ４０６ステップに進み、図２に示していない運用者インターフェースなどを通じて共用キー値を送信する放送送信機の再設定が必要であるか否かをチェックする。上記Ｓ４０４ステップでのチェックの結果、共用キー値を送信する放送送信機の再設定が必要である場合、放送制御部２０７は、Ｓ４０８ステップに進み、そうではない場合は、Ｓ４０４ステップに進む。
【００４７】
上記Ｓ４０６ステップからＳ４０８ステップに進む場合、運用者が入力した共用キー値を送出する放送送信機へ共用キーを送出するように制御信号を変更して出力し、Ｓ４０２ステップに進む。このような制御信号の変更は即座に行われることもあるが、一般に暗号化された放送サービスデータの解読のために所定時間だけ事前に報知することが好ましく、解読のためのキー値の適用時点を、放送送信機によってサービスされるセル全体に明確に報知する必要がある。ここで、上述した非かげ地域を司る放送送信機に対して共用キー値を送出できないようにすることは禁止されるべきである。すなわち、かげ地域を司る放送送信機に対してのみ、共用キー値を送出するか、または送出を禁止するかの制御が実行される。しかしながら、韓国など一部の国のように地上波ＤＭＢが公共の目的のために設置される国または地域でない場合ならば、非かげ地域のためのこのような制限は不要である。
【００４８】
図５は、本発明による放送送信機の送信機制御部において共用キー値を送出する際の制御プロセスを示すフローチャートである。また、上記図５に示す制御フローチャートは、かげ地域の放送送信機だけに該当することがあるが、本発明の実施の形態では、かげ地域の放送送信機だけに限定しないことにする。
【００４９】
上記放送送信機１０５の送信機制御部２１７は、Ｓ５００ステップにおいて、放送信号制御状態を維持する。上記放送信号制御状態とは、放送局１００から受信し現在設定されている共用キー値の送出要否に応じて共用キー値を送出するか、または送出しない状態を維持し、放送信号送出部２１３から放送サービスデータが送出されるように制御する状態を意味する。このように、放送信号制御状態を維持しながらＳ５０２ステップに進み、放送局１００からの共用キー制御情報の受信有無をチェックする。すなわち、当該放送送信機から共用キー値を伝送すべきか否かの変更を求める制御信号が送信されたか否かをチェックするのである。その結果、共用キー値の伝送を変更する旨の情報を受信したとき、送信機制御部２１７は、Ｓ５０３ステップに進み、共用キー値の送出要否を設定し、上記共用キー送出部２１５へ出力する。このような動作を通じて放送送信機１０５から共用キー値を伝送することもあり、伝送しないこともあるようになる。
【００５０】
図６は、本発明による方式のＤＭＢ放送を受信するための放送受信機の内部ブロック構成図である。
【００５１】
ＤＭＢ放送受信機は、アンテナと、放送信号受信部６０１と、共用キー検出／受信部６１１とを介して放送サービスデータを受信する。放送信号受信部６０１と共用キー検出／受信部６１１は、一つの受信ブロックで構成し得る。ここで、放送信号受信部６０１は、フレーム全体を受信することもでき、高速情報チャンネル３０４と主サービスチャンネル３０６のみを受信することもできる。本発明では、放送信号受信部６０１で受信する信号には制約をおいていない。また、共用キー検出／受信部６１１は、同期チャンネル３００、３０２のうち、ＴＩＩが伝送される部分３００のみを抽出し、共用キー検出信号と検出されたＴＩＩ値を第２の解読キー生成部６１３へ出力する。そうすると、第２の解読キー生成部６１３は、本発明によって共用キー値を伝送する用途として用いられるＴＩＩ値から暗号化された放送サービスデータを解読するためのＣＷを生成しセレクタ６０５へ出力する。このとき、図２を参照して説明したように、暗号化方式としてスクランブル方式を用いる場合であれば、上記ＣＷは、放送受信機においてスクランブル解読のための情報となる。
【００５２】
また、上記放送信号受信部６０１は、上記伝送フレームのうち、高速情報チャンネル３０４に含まれて伝送される個人キー値、または高速情報チャンネル（ＦＩＣ）と主サービスチャンネル３０６の所定の副チャンネルを通じて伝送される個人キー値を第１の解読キー生成部６０３へ出力する。また、上記放送信号受信部６０１は、上記伝送フレーム内の主サービスチャンネル３０６に含まれたＣＩＦから、暗号化された放送サービスデータを抽出し、解読部６０７へ出力する。これによって第１の解読キー生成部６０３は、個人キー値であるＥＣＭ、ＥＭＭ値から、暗号化された放送サービスデータを解読するためのＣＷを生成し出力する。このときにも、図２を参照して説明したように、暗号化方法がスクランブル方式であれば、スクランブル解読のためのＣＷを生成し出力する。そして、図１及び図２を参照して説明したように、個人キーと共用キーの両信号を受信した場合であれば、第１の解読キー生成部６０３から出力されるＣＷ値と、第２の解読キー生成部６１３から出力されるＣＷ値とは同一のキー値でなければならない。上記第１の解読キー生成部６０３と第２の解読キー生成部６１３は、一つの解読キー生成ブロック６３０から構成してもよい。
【００５３】
セレクタ６０５は、第１の解読キー生成部６０３から出力されたＣＷと第２の解読キー生成部６１３から出力されたＣＷのいずれかのみを出力する。上記セレクタ６０５において第１の解読キー生成部６０３のＣＷ値を選ぶか、それとも第２の解読キー生成部６１３のＣＷ値を選ぶかは、後述する制御部６２１で決められる。このようにセレクタ６０５において選ばれたＣＷ値は、解読部６０７へ入力される。これによってＣＷ値を受信した解読部６０７は、放送信号受信部６０１で暗号化された放送サービスデータを解読しＭＰＥＧ処理部６２３へ出力する。このとき、暗号化がスクランブル方式を用いていれば、解読はスクランブル解読方式を用いればよい。その他の暗号化方式についても同様に適用可能である。
【００５４】
一方、上記端末が共用キー値のみを用いる端末であれば、すなわち非かげ地域においては無料でサービスされる放送サービスのみを受信する端末である場合、上記第１の解読キー生成部６０３とセレクタ６０５を具備しないように構成することも可能である。または無料でサービスされる放送サービスのみを受信するように設定されたユーザである場合、第１の解読キー生成部６０３は、ＣＷを生成するうえで好適のＥＣＭまたはＥＭＭ情報を獲得することができないようにして、ＣＷが生成できなくする。反面、共用キー値と個人キー値を両方とも用いる端末、すなわちかげ地域においても放送サービスを提供されたい端末は、第１の解読キー生成部６０３と第２の解読キー生成部６１３を両方とも含むことが好ましい。なお、第１の解読キー生成部６０３だけから構成されても動作には何ら問題ない。
【００５５】
上述したように、解読部６０７で暗号化が解読された放送サービスデータは、ＭＰＥＧ処理部６２３へ入力され、ＭＰＥＧ復号が行われる。すなわち、地上波ＤＭＢ方式に従って符号化された画像信号と音声信号のそれぞれを該当方式に従って復号を行うのである。このような復号は、制御部６２１の制御によって行われる。現在、地上波ＤＭＢ方式では、画像圧縮方法としてＭＰＥＧ−４規格による方式を採択している。したがって、上記地上波ＤＭＢ方式の復号方法は、ＭＰＥＧ−４規格による復号にあたる。また、上記ＭＰＥＧ処理部６２３は、復号が行われる時、データを一時保存するためにメモリー部６２７に接続される。したがって、復号が正常に行われなかったか、補正を必要とする場合は、メモリー部６２７に保存されているデータを用いて画像の補正などを行うことができる。
【００５６】
上記ＭＰＥＧ処理部６２３から出力された画像及び音響信号は、画像／音響出力部６２５へ入力される。上記画像／音響出力部６２５は、画像信号を提供するための液晶表示パネル（ＬＣＤ）などから構成すればよく、音響信号はスピーカーなどを通じて出力すればよい。上記メモリー部６２７は、制御部６２１の制御に必要な動作を保存する領域と制御時に発生するデータを一時保存したり、ユーザが必要によって保存を求めた情報を保存したりする領域、及びＭＰＥＧ処理部６２３からのデータを一時保存するための領域などを含む。また、第１の解読キー生成部６０３と第２の解読キー生成部６１３を両方とも具備する場合に、本発明によって共用キーまたは個人キーのいずれを優先して用いるかなどに関する情報を保存する領域も具備しなければならない。そして、ユーザインターフェース６２９は、ユーザ所望のチャンネル情報を入力したり、またはその他ユーザ情報などが入力できるインターフェースとして、キーパッドまたはダイヤルキー、ホイールタイプのダイヤル、タッチパッドなどの各種の形態で実現することができる。
【００５７】
上記制御部６２１は、共用キー検出／受信部６１１から共用キー検出信号を受信すれば、共用キー値を用いるか、それとも個人キー値を用いるかに関する選択信号を出力する。または、第１の解読キー生成部６０３から正常なＣＷが生成された場合、これを判断し、共用キー検出／受信部６１１と第２の解読キー生成部６１３の動作をディスエーブルさせることにより、個人キー値のみを用いるように制御する。したがって、上記制御部６２１は、図６には示していないが、第１の解読キー生成部６０３からエラー有無情報を受信することができるように構成することも可能である。
【００５８】
一般に、共用キー値よりは個人キー値がより高精度であるため、個人キー値が受信できる端末であれば、共用キー値を用いるよりは個人キー値を用いてＣＷを生成することが好ましい。すなわち、大半の場合、セレクタ６０５を第１の解読キー生成部６０３に接続されるように構成することが好ましい。また、上記制御部６２１は、個人キー値の受信に長時間かかる場合など、共用キー値を先に用いざるを得ない場合に限って、共用キー値を用いるような選択信号（ＳＥＬ）を発生するように構成することができる。このような場合を満足するためには、上記図６に示してはいないが、第１の解読キー生成部６０３からＣＷ生成に関する信号を受信するように構成しなければならないであろう。
【００５９】
上記図６において受信部６０１、６１１は一つの受信装置で実現することができる。すなわち、図面符号６００で示すように、一つの信号受信装置で実現することができ、図６では、機能別に受信される内容を明確にするために区分して示している。また、図６において解読キー生成部６０３、６１３も、一つの解読キー生成部で実現することができる。すなわち、図６において図面符号６３０で示すように、一つの解読キー生成部で実現可能である。
【００６０】
図７は、本発明による方式のＤＭＢ放送サービスデータを受信する時の受信機における制御プロセスを示すフローチャートである。
【００６１】
制御部６２１は、Ｓ７００ステップにおいて、待ち状態（放送信号制御状態）を維持する。このような待ち状態は、電源がオンとなっている状態であり、放送の受信を行い得る準備ができている状態を意味する。上記制御部６２１は、待ち状態を維持し、Ｓ７０２ステップに進み、放送受信の要求有無をチェックする。この放送受信の要求としては、ユーザインターフェース部６２９からの特定の放送チャンネルの受信の要求などが挙げられる。このようなチェックで、放送チャンネルの受信要求があった場合、制御部６２１は、メモリー６２７へ保存されている専用モードをチェックし、共用キー専用モードに設定されているかどうかをチェックする。この結果、共用キー専用モードに設定されていると、これは、非かげ地域においてのみ受信するための端末であることを意味する。また、このような端末は、図６を参照して説明したように、第１の解読キー生成部６０３なしに実現することもできる。
【００６２】
上記Ｓ７０４ステップでのチェックの結果、共用キー専用モードに設定されていると、制御部６２１は、Ｓ７０８ステップに進み、第２の解読キー生成部６１３のＣＷが、例えば、ＴＩＩから生成されたＣＷが上記セレクタ６０５へ出力されるように選択信号（ＳＥＬ）を出力する。反面、上記Ｓ７０４ステップでのチェックの結果、共用キー専用モードに設定されていないと、Ｓ７０６ステップに進み、第１の解読キー生成部６０３のＣＷが上記セレクタ６０５から出力されるように選択信号（ＳＥＬ）を出力する。このような方法により、第１の解読キー生成部６０３または第２の解読キー生成部６１３の信号のいずれかが出力されるように制御する。これとは別の方法で、第１の解読キー生成部６０３と第２の解読キー生成部６１３から出力されるすべてのＣＷを用いることができる端末において、上記二つの解読キー生成部６０３、６１３のうち、先にＣＷを出力する解読キー生成部のＣＷを用いるようにし、後でＥＣＭ、ＥＭＭ値から生成されてより安定している第１の解読キー生成部６０３のＣＷを用いるように構成することもできる。上記二つの解読キー生成部６０３、６１３の両方を用いる場合には、制御部６２１において、上記第１の解読キー生成部６０３と第２の解読キー生成部６１３から出力されるＣＷが、解読部６０７へ選択的に提供されるようにセレクタ６０５を制御する。
【００６３】
上記過程を通じてＣＷを生成してから、制御部６２１は、７１０ステップの放送提供モードに進み、暗号化された放送サービスを解読してユーザに提供する。
【００６４】
以上、本発明の詳細について、好ましい具体的な実施の形態に基づいて説明してきたが、当業者にとって、特許請求の範囲に定義された本発明の精神及び範囲を逸脱しない限り、各種の変形が可能なのは明らかである。
【図面の簡単な説明】
【００６５】
【図１】本発明の一実施の形態による地上波ＤＭＢシステムの概念的な構成図である。
【図２】本発明の一実施の形態による放送局、または放送サービス事業者の放送サービス提供装置と放送送信機の構成を例示した図である。
【図３】地上波ＤＭＢ方式で放送トラフィックを伝送するためのフレーム規格を示す図である。
【図４】本発明の一実施の形態による放送局の放送制御部において行われる制御プロセスを示すフローチャートである。
【図５】本発明による放送送信機の送信機制御部から共用キー値を送出する時の制御プロセスを示すフローチャートである。
【図６】本発明による方式のＤＭＢ放送を受信するための放送受信機の内部ブロック構成図である。
【図７】本発明による方式のＤＭＢ放送サービスデータを受信する時における受信機での制御プロセスを示すフローチャートである。
【符号の説明】
【００６６】
１００    放送局
１０５ａ、…、１０５ｂ    放送送信機
１１０    人工衛星
１１５    端末
２００    放送サービスデータ
２０１    エンクリプター
２０３    暗号化キー生成部
２０５    送信部
２０７    放送制御部
２１１    受信部
２１３    放送信号送出部
２１５    共用キー送出部
２１７    送信機制御部
３００    ＮＵＬＬ区間
３０２    位相参照シンボル
３０４    高速情報チャンネル
３０６    主サービスチャンネル
６０１    放送信号受信部
６０３    第１の解読キー生成部
６０５    セレクタ
６０７    解読部
６１１    共用キー検出／受信部
６１３    第２の解読キー生成部
６２１    制御部
６２３    ＭＰＥＧ処理部
６２５    画像／音響出力部
６２７    メモリー部
６３０    解読キー生成ブロック
【図２】
2006314094.tif 000003
【図３】
2006314094.tif 000004
【図４】
2006314094.tif 000005
【図５】
2006314094.tif 000006
【図６】
2006314094.tif 000007
【図７】
2006314094.tif 000008
【図１】
2006314094.tif 000009
【外国語明細書】
2006314094.tif 000010
2006314094.tif 000011
2006314094.tif 000012
2006314094.tif 000013
2006314094.tif 000014
2006314094.tif 000015
2006314094.tif 000016
2006314094.tif 000017
2006314094.tif 000018
2006314094.tif 000019
2006314094.tif 000020
2006314094.tif 000021
2006314094.tif 000022
2006314094.tif 000023
2006314094.tif 000024
2006314094.tif 000025
2006314094.tif 000026
2006314094.tif 000027
2006314094.tif 000028
2006314094.tif 000029
2006314094.tif 000030
2006314094.tif 000031
2006314094.tif 000032
2006314094.tif 000033
2006314094.tif 000034
2006314094.tif 000035
2006314094.tif 000036
2006314094.tif 000037
2006314094.tif 000038
2006314094.tif 000039
2006314094.tif 000040
2006314094.tif 000041
2006314094.tif 000042
2006314094.tif 000043
2006314094.tif 000044
2006314094.tif 000045
2006314094.tif 000046
2006314094.tif 000047
2006314094.tif 000048
2006314094.tif 000049